(57)【要約】【課題】  操作性がよいテーブルの引き出し収納機構を提供することを課題とする。【解決手段】    肘掛１０１に、その前面から上面にかけて延び、テーブル１０３が挿通可能なスリット１０５と、テーブル１０３を上下方向に回転させる上下方向回転部，テーブルを水平方向に回転させる水平方向回転部からなるヒンジ手段１１１と、肘掛１０１から取り出されたテーブル１０３が下方向へ回転するのを禁止するテーブル保持手段（肘当１３１）とを有し、テーブル１０３を肘掛１０１の前面のスリット１０５から、上方向に回転しながら引き出されるようする。【選択図】          図１
2005112062.tif 000002
【特許請求の範囲】
【請求項１】
不使用時には肘掛内に収納され、使用時には前記肘掛内から引き出され、水平に保持されるテーブルの引き出し収納機構において、
前記肘掛に、その前面から上面にかけて延び、前記テーブルが挿通可能なスリットと、
前記テーブルを上下方向に回転させる上下方向回転部，前記テーブルを水平方向に回転させる水平方向回転部からなるヒンジ手段と、
前記肘掛から取り出されたテーブルが下方向へ回転するのを禁止するテーブル保持手段と、
を有し、
前記テーブルを前記肘掛の前面のスリットから、上方向に回転しながら引き出されるようにしたことを特徴とするテーブルの引き出し収納機構。
【請求項２】
前記ヒンジ手段は、
前記肘掛に設けられるヒンジ受けと、
該ヒンジ受けに対して前記シートの幅方向の軸を中心に回転可能に設けられ、前記ヒンジ受けとで前記上下方向回転部を構成する第１ヒンジと、
該第１ヒンジに対して前記シートの前後方向の軸を中心に回転可能に設けられると共に、前記テーブルに取付けられ、前記第１ヒンジとで前記水平方向回転部を構成する第２ヒンジと、
からなり、
一方の端部が前記ヒンジ手段の第１ヒンジの回転中心以外の部分に係止され、他方の端部が前記肘掛に係止され、前記ヒンジ手段の第１ヒンジを付勢する付勢手段を設けたことを特徴とする請求項１記載のテーブルの引き出し収納機構。
【請求項３】
前記肘掛内に前記収納状態のテーブルがそれ以上奥に回転するのを禁止するストッパを設け、
前記付勢手段は、前記テーブルが前記肘掛内に収納されている状態では、前記テーブルが前記ストッパに押接する付勢力を前記ヒンジ手段の第１ヒンジに与えることを特徴とする請求項２記載のテーブルの引き出し収納機構。
【請求項４】
前記付勢手段は、前記テーブルが前記肘掛から取り出されると、前記テーブルを上方に回転させる付勢力を前記ヒンジ手段の第１ヒンジに与えることを特徴とする請求項２又は３記載のテーブルの引き出し収納機構。
【請求項５】
前記テーブル保持手段は、前記肘掛の上面に設けられ、前記スリットを隠蔽／開放可能で、その上面に前記ヒンジ手段の第１ヒンジが当接可能な肘当であることを特徴とする請求項１記載のテーブルの引き出し収納機構。
【請求項６】
前記肘当を前記スリットを隠蔽させる方向に付勢する付勢手段を設けたことを特徴とする請求項５記載のテーブルの引き出し収納機構。
【発明の詳細な説明】
【技術分野】
【０００１】
本発明は、鉄道、船舶、航空機、バス等の乗り物のシートに設けられるテーブルの引き出し収納機構に関する。
【背景技術】
【０００２】
鉄道、船舶、航空機、バス等の乗り物には、図６、図７に示すように、不使用時には肘掛３内に収納され、使用時には肘掛３内から引き出され、水平に保持されるテーブル５を有するシート１が設けられる場合がある。肘掛３内には、上下方向の直線のガイド７に沿ってヒンジ手段９が上下方向（図６、図７において矢印Ｃ方向、反矢印Ｃ方向）移動可能に係合している。肘掛３の上面には、テーブル５が挿通可能なスリット１１が形成されている。又、肘掛３の上面には、スリット１１の一部を隠蔽／開放可能な肘当１３が設けられている。
【０００３】
ヒンジ手段９はシート１の幅方向の軸を中心にテーブル５を前後方向（図６、図７において矢印Ｄ方向、反矢印Ｄ方向）に回転可能とすると共に、シート１の前後方向の軸を中心にテーブル５を水平方向（図６において矢印Ｅ方向、反矢印Ｅ方向）に回転可能とするものである。
【０００４】
更に、肘掛３内には、テーブル５を肘掛３より引き出した際に、連動してヒンジ手段９の下方への移動を禁止するロック手段２１と、テーブル５を肘掛３内に収納する際に、ロック手段２１を解除するロック解除手段２３とが設けられている。
【０００５】
このような構成の作動を説明する。テーブル５が肘掛３内に収納されている状態（図７において実線のテーブル５）では、テーブル５の前部がスリット１１から外部に露出している。テーブル５の外部に露出している部分Ｆを持って上方に引き上げると、ヒンジ手段９がガイド７に沿って矢印Ｃ方向に直線的に移動し、図６、図７において、テーブル５は、５Ｄの状態となる。この時、スリット１１を隠蔽する肘当て１３は、テーブル５に押されて開く。又、ロック手段２１が作動し、ヒンジ手段９の下方への移動が禁止される。
【０００６】
ここで、５Ｄの状態のテーブル５を前方向（矢印Ｄ方向）に倒し、５Ａの状態を介して５Ｂの状態とする。次に、５Ｂの状態のテーブル５水平方向（矢印Ｅ方向）に倒し、テーブル５を使用可能な状態である５Ｃの状態とする。
【０００７】
逆に、使用状態にあるテーブル５を収納状態とするには、５Ｃの状態のテーブル５を反矢印Ｅ方向に回転させ、次に、反矢印Ｄ方向に回転させ、５Ａの状態とする。ここで、ロック解除手段２３がロック手段２１をロック解除し、テーブル５は反矢印Ｃ方向に移動させて、収納状態となる（例えば、特許文献１参照）。
【特許文献１】特開平０２−１４４２５６号公報（第１図、第２図）
【発明の開示】
【発明が解決しようとする課題】
【０００８】
しかし、上記構成のテーブルの収納格納機構においては、以下のような問題点がある。
（１）収納状態のテーブル５を使用状態とするには、テーブル５を直線的に引き上げる動作（矢印Ｃ方向の動作）と、テーブル５を前方向に倒す動作（矢印Ｄ方向への動作）と、テーブル５を水平に倒す動作（矢印Ｅ方向の動作）との３つの動作が必要であり、操作が面倒である。
（２）ロック手段２１、ロック解除手段２３が必要なので、構造が複雑で、コストもかかる。
（３）テーブル５のＦ部分を左手でもって引き上げた５Ｄの状態のテーブル５を５Ａの状態を介して５Ｂの状態まで回転させる際、肘にテーブル５が当たり、片手での操作が難しい。
（４）５Ｄの状態のテーブル５を５Ａの状態を介して５Ｂの状態まで回転させる際に、途中からテーブル５の自重で５Ｂの状態になるので、不快な衝撃音が発生し、使用感が悪い。
【０００９】
本発明は、上記問題点に鑑みてなされたもので、その第１の課題は、操作性がよいテーブルの引き出し収納機構を提供することにある。
【００１０】
第２の課題は、簡単な構成で、低コストのテーブルの引き出し収納機構を提供することにある。
【００１１】
第３の課題は、使用感がよいテーブルの引き出し収納機構を提供することにある。
【課題を解決するための手段】
【００１２】
上記課題を解決する請求項１に係る発明は、不使用時には肘掛内に収納され、使用時には前記肘掛内から引き出され、水平に保持されるテーブルの引き出し収納機構において、前記肘掛に、その前面から上面にかけて延び、前記テーブルが挿通可能なスリットと、前記テーブルを上下方向に回転させる上下方向回転部，前記テーブルを水平方向に回転させる水平方向回転部からなるヒンジ手段と、前記肘掛から取り出されたテーブルが下方向へ回転するのを禁止するテーブル保持手段と、を有し、前記テーブルを前記肘掛の前面のスリットから、上方向に回転しながら引き出されるようにしたことを特徴とするテーブルの引き出し収納機構である。
【００１３】
収納状態にあるテーブルを前記肘掛の前面のスリットから、上方向に回転しながら引き出すと、テーブル保持手段により、テーブルの下方向の回転が禁止される。次に、テーブルを水平方向に回転させて使用状態とする。
【００１４】
請求項２に係る発明は、前記ヒンジ手段は、前記肘掛に設けられるヒンジ受けと、該ヒンジ受けに対して前記シートの幅方向の軸を中心に回転可能に設けられ、前記ヒンジ受けとで前記上下方向回転部を構成する第１ヒンジと、該第１ヒンジに対して前記シートの前後方向の軸を中心に回転可能に設けられると共に、前記テーブルに取付けられ、前記第１ヒンジとで前記水平方向回転部を構成する第２ヒンジと、からなり、一方の端部が前記ヒンジ手段の第１ヒンジの回転中心以外の部分に係止され、他方の端部が前記肘掛に係止され、前記ヒンジ手段の第１ヒンジを付勢する付勢手段を設けたことを特徴とする請求項１記載のテーブルの引き出し収納機構である。
【００１５】
付勢手段がヒンジ手段の第１ヒンジを付勢することにより、テーブルが上下方向に回転する際に、テーブルに付勢力が付与される。
【００１６】
請求項３に係る発明は、前記肘掛内に前記収納状態のテーブルがそれ以上奥に回転するのを禁止するストッパを設け、前記付勢手段は、前記テーブルが前記肘掛内に収納されている状態では、前記テーブルが前記ストッパに押接する付勢力を前記ヒンジ手段の第１ヒンジに与えることを特徴とする請求項２記載のテーブルの引き出し収納機構である。
【００１７】
付勢手段の付勢力により、テーブルはストッパに押接する。
【００１８】
請求項４に係る発明は、前記付勢手段は、前記テーブルが前記肘掛から取り出されると、前記テーブルを上方に回転させる付勢力を前記ヒンジ手段の第１ヒンジに与えることを特徴とする請求項２又は３記載のテーブルの引き出し収納機構である。
【００１９】
付勢手段の付勢力により、テーブルは上方に付勢される。
【００２０】
請求項５に係る発明は、前記テーブル保持手段は、前記肘掛の上面に設けられ、前記スリットを隠蔽／開放可能で、その上面に前記ヒンジ手段の第１ヒンジが当接可能な肘当であることを特徴とする請求項１記載のテーブルの引き出し収納機構である。
【００２１】
肘当がスリットを隠蔽し、スリット内に塵埃が侵入するのを防止する。肘当の上面にヒンジ手段の第１ヒンジが当接することにより、テーブルの下方向の回転が禁止される。
【００２２】
請求項６に係る発明は、前記肘当を前記スリットを隠蔽させる方向に付勢する付勢手段を設けたことを特徴とする請求項５記載のテーブルの引き出し収納機構である。
【００２３】
付勢手段により肘当はスリットを隠蔽する方向に付勢される。
【発明の効果】
【００２４】
請求項１に係る発明によれば、前記テーブルを前記肘掛の前面のスリットから、上方向に回転しながら引き出されるようにしたことにより、収納状態にあるテーブルを使用状態とするには、収納状態にあるテーブルを前記肘掛の前面のスリットから、上方向に回転しながら引き出す動作と、テーブルを水平方向に回転させて使用状態とする動作との２つの動作ですみ、操作性がよい。
【００２５】
又、前記肘掛に、その前面から上面にかけて延び、前記テーブルが挿通可能なスリットと、前記テーブルを上下方向に回転させる上下方向回転部，前記テーブルを水平方向に回転させる水平方向回転部からなるヒンジ手段と、前記肘掛から取り出されたテーブルが下方向へ回転するのを禁止するテーブル保持手段とからなることにより、構成が簡単で、低コストである。
【００２６】
請求項２に係る発明によれば、ヒンジ手段の第１ヒンジを付勢する付勢手段を設けたことにより、所望の方向の、所望の大きさの付勢力をテーブルに与えることができる。
【００２７】
付勢手段としては、流体（気体、液体）をシリンダに封入したガススプリングやオイルスプリングや、金属や樹脂でなるばね、ゴムや樹脂からなる弾性体等があるが、限定するものではない。
【００２８】
請求項３に係る発明によれば、前記肘掛内に前記収納状態のテーブルがそれ以上奥に回転するのを禁止するストッパを設け、前記付勢手段は、前記テーブルが前記肘掛内に収納されている状態では、前記テーブルが前記ストッパに押接する付勢力を前記ヒンジ手段の第１ヒンジに与えることにより、収納状態のテーブルは、ストッパに押接し、シートが設けられる車両等が振動しても、肘掛内でテーブルがあばれるのを防止することができる。
【００２９】
請求項４に係る発明は、前記付勢手段は、前記テーブルが前記肘掛から取り出されると、前記テーブルを上方に回転させる付勢力を前記ヒンジ手段の第１ヒンジに与えることにより、テーブルを上方向かって回転させる場合に、大きな操作力が不要となり、使用感がよい。
【００３０】
又、前記テーブルが前記肘掛内に収納されている状態では、前記テーブルが前記ストッパに押接する付勢力を前記ヒンジ手段の第１ヒンジに与え、前記テーブルが前記肘掛から取り出されると、前記テーブルを上方に回転させる付勢力を前記ヒンジ手段の第１ヒンジに与えるように、付勢手段を設けると、シートが設けられる車両等が振動しても、肘掛内でテーブルがあばれるのを防止することができると共に、テーブルを上方向かって回転させる場合に、大きな操作力が不要となり、使用感がよい。
【００３１】
請求項５に係る発明によれば、前記テーブル保持手段は、前記肘掛の上面に設けられ、前記スリットを隠蔽／開放可能で、その上面に前記ヒンジ手段の第１ヒンジが当接可能な肘当であることにより、構成が簡単である。
【００３２】
請求項６に係る発明によれば、前記肘当を前記スリットを隠蔽させる方向に付勢する付勢手段を設けたことにより、収納状態のテーブルを上方に向かって回転させると、テーブルが隠蔽状態にある肘当を押圧して、開放状態方向に向かって移動させる。さらにテーブルを上方に回転させ、テーブルの肘当への押圧が解除されると、肘当は付勢手段の付勢力によりスリットを隠蔽する状態に復帰し、その上面にヒンジ手段の第１ヒンジが当接可能な状態となる。従って、操作性がよい。
【発明を実施するための最良の形態】
【００３３】
以下、図面を用いて本発明を実施するための最良の形態を説明する。図１は本形態例のテーブルの引き出し収納機構が設けられた肘掛の分解斜視図、図２〜図５は図１の作動を説明する図である。
【００３４】
最初に、図１を用いて、構成を説明する。図において、肘掛（肘掛のフレーム）１０１には、その前面１０１ａから上面１０１ｂにかけて、テーブル１０３が挿通可能なスリット１０５が形成されている。
【００３５】
肘掛１０１内には、テーブル１０３が取付けられるヒンジ手段１１１が設けられる。ヒンジ手段１１１は、肘掛１０１に設けられるヒンジ受け１１３と、ヒンジ受け１１３に回転可能に設けられる第１ヒンジ１１５と、第１ヒンジ１１５に回転可能に設けられ、テーブル１０３に取付けられる第２ヒンジ１１７とからなっている。更に詳しく説明すると、第１ヒンジ１１５には、シートの幅方向の穴１１５ａが形成され、ヒンジ受け１１３には、第１ヒンジ１１５を挟むように形成され、第１ヒンジ１１５の穴１１５ａと対向する穴１１３ａが形成された２つのアーム１１３ｂが形成されている。そして、ヒンジ受け１１３のアーム１１３ｂの穴１１３ａ、第１ヒンジ１１５の穴１１５ａ、ヒンジ受け１１３のアーム１１３ｂの穴１１３ａを挿通し、軸方向の抜け止めがなされた軸１２１により、第１ヒンジ１１５はヒンジ受け１１３に回転可能に設けられている。
【００３６】
第１ヒンジ１１５には、凹部１１５ｂが形成されている。この凹部１１５ｂの両サイドには、シートの前後方向に沿った穴１１５ｃ、１１５ｄが形成されている。凹部１１５ｂには、穴１１７ａが形成された第２ヒンジ１１７が配設され、第１ヒンジ１１５の穴１１５ｃ、第２ヒンジ１１７の穴１１７ａ、第１ヒンジ１１５の穴１１５ｄを挿通し、抜け止めがなされた軸１２３により、第２ヒンジ１１７は第１ヒンジ１１５に回転可能に設けられている。そして、ヒンジ受け１１３と第１ヒンジ１１５と軸１２１とで、テーブル１０３を上下方向に回転させる上下方向回転部が構成され、第１ヒンジ１１５と、第２ヒンジ１１７と、軸１２３とでテーブル１０３を水平方向に回転させる水平方向回転部が構成されている。
【００３７】
更に、第２ヒンジ１１７の側面１１７ａが第１ヒンジ１１５の凹部１１５ｂの底面に当接することにより、テーブル１０３は略水平状態となり、それ以上のテーブル１０３の回転が禁止されるようになっている。
【００３８】
肘掛１０１の上面１０１ｂには、スリット１０５を隠蔽／開放可能な肘当１３１が蝶番１３３を介して取付けられている。この蝶番１３３の回転軸には、肘当１３１をスリット１０５を隠蔽させる方向に付勢するばね（付勢手段）１３５が設けられている。又、肘当１３１には、肘掛１０１から取り出されたテーブル１０３が当接可能な箇所に、ステンレス等のヒンジ台１３７が設けられている（テーブル保持手段）。
【００３９】
肘掛１０１内には、収納状態のテーブル１０３がそれ以上奥に回転するのを禁止する弾性体（例えば、ゴム）でなるストッパ１４５が設けられている。
【００４０】
第１ヒンジ１１５には、アーム部１１５ｅが形成されている。そして、一方の端部がブラケット１４１を介して肘掛１０１に対して回転可能に取付けられ、他方の端部が第１ヒンジ１１５のアーム部１１５ｅに回転可能に取付けられたガススプリング１４３により、ヒンジ手段１１１の第１ヒンジ１１５は付勢されている。本形態例では、テーブル１０３が肘掛１０１内に収納されている状態では、テーブル１０３がストッパ１４５に押接する付勢力をヒンジ手段１１１の第１ヒンジ１１５に与え、テーブル１０３が肘掛１０１から取り出されると、テーブル１０３を上方に回転させる付勢力をヒンジ手段１１１の第１ヒンジ１１５に与えるように設定した。更に、
次に、上記構成」の作動を図２〜図５を用いて説明する。
【００４１】
図２に示す収納状態において、テーブル１０３の前部は肘掛１０１のスリット１０５を介して外部に露出している。この状態では、ガススプリング１４３の付勢力により、テーブル１０３はストッパ１４５に押接している。そして、テーブル１０３を上方向に回転しながら引き出すと、テーブル１０３がスリット１０５を隠蔽している肘当１３１を押圧して、肘当１３１を開く（開放状態方向に向かって回転させる）。図３に示す状態を超えると、ガススプリング１４３は、テーブル１０３を上方に回転させる付勢力をヒンジ手段１１１の第１ヒンジ１１５に与え、テーブル１０３を上方に回転させる操作力の補助となる。
【００４２】
更にテーブル１０３を上方に回転させると、図４に示す状態を超えると、テーブル１０３の肘当１３１への押圧が解除され、図５に示すように、肘当１３１はばね１３５の付勢力によりスリット１０５を隠蔽する状態に復帰し、その上面のヒンジ台１３７にヒンジ手段１１１の第１ヒンジ１１５が当接可能な状態となる。
【００４３】
そして、図５に示すように、テーブル１０３を実線位置まで戻し、肘当１３１のヒンジ台１３７にヒンジ手段１１１の第１ヒンジ１１５を当接させ、テーブル１０３のそれ以上の下方向へ回転を禁止する。そして、テーブル１０３を水平方向に回転させて倒し、使用状態とする。
【００４４】
使用状態のテーブル１０３を収納するには、水平状態のテーブル１０３を起こし、図５に示す状態とする。そして、上方に回転させ、肘当１３１のヒンジ台１３７からテーブル１０３のヒンジ手段１１１の第１ヒンジ１１５を離反させ、図４に示す状態とする。ここで、肘当１３１を開き、テーブル１０３を下方に回転させ、図１の収納状態とする。
【００４５】
このような構成によれば、以下のような効果を得ることができる。
（１）  テーブル１０３を肘掛１０１の前面のスリット１０５から、上方向に回転しながら引き出されるようにしたことにより、収納状態にあるテーブル１０３を使用状態とするには、収納状態にあるテーブル１０３を肘掛１０１の前面のスリット１０５から、上方向に回転しながら引き出す動作と、テーブル１０３を水平方向に回転させて使用状態とする動作との２つの動作ですみ、操作性がよい。
（２）肘掛１０１に、その前面から上面にかけて延び、テーブル１０３が挿通可能なスリット１０５と、テーブル１０３を上下方向に回転させる上下方向回転部，テーブル１０３を水平方向に回転させる水平方向回転部からなるヒンジ手段１１１と、肘掛１０１から取り出されたテーブル１０３が下方向へ回転するのを禁止するテーブル保持手段（肘当１３１）とからなることにより、構成が簡単で、低コストである。
（３）ヒンジ手段１１１の第１ヒンジ１１５を付勢する付勢手段（ガススプリング１４３）を設けたことにより、所望の方向の、所望の大きさの付勢力をテーブル１０３に与えることができる。
（４）肘掛１０１内に収納状態のテーブル１０３がそれ以上奥に回転するのを禁止するストッパ１４５を設け、付勢手段（ガススプリング１４３）は、テーブル１０３が肘掛１０１内に収納されている状態では、テーブル１０３がストッパ１４５に押接する付勢力をヒンジ手段１１１の第１ヒンジ１１５に与えることにより、収納状態のテーブル１０３は、ストッパ１４５に押接し、シートが設けられる車両等が振動しても、肘掛１０１内でテーブル１０３があばれるのを防止することができる。
（５）付勢手段（ガススプリング１４３）は、テーブル１０３が肘掛１０１から取り出されると、テーブル１０３を上方に回転させる付勢力をヒンジ手段１１１の第１ヒンジ１１５に与えることにより、テーブル１０
３を上方向かって回転させる場合に、大きな操作力が不要となり、使用感がよい。
（６）肘当１３１をテーブル保持手段としたことにより、構成が簡単である。
（７）肘当１３１をスリット１０５を隠蔽させる方向に付勢するばね（付勢手段）１３５を蝶番１３３に設けたことにより、収納状態のテーブル１０３を上方に向かって回転させると、テーブル１０３が隠蔽状態にある肘当１３１を押圧して、開放状態方向に向かって移動させる。さらにテーブル１０３を上方に回転させ、テーブル１０３の肘当１３１への押圧が解除されると、肘当１３１はばね（付勢手段）１３５の付勢力によりスリット１０５を隠蔽する状態に復帰し、その上面にヒンジ手段１１１の第１ヒンジ１１５が当接可能な状態となる。従って、操作性がよい。
【図面の簡単な説明】
【００４６】
【図１】本形態例のテーブルの引き出し収納機構が設けられた肘掛の分解斜視図である。
【図２】図１の作動を説明する図である。
【図３】図１の作動を説明する図である。
【図４】図１の作動を説明する図である。
【図５】図１の作動を説明する図である。
【図６】従来のテーブルの引き出し収納機構が設けられたシートを説明する図である。
【図７】図７の肘掛内を説明する図である。
【符号の説明】
【００４７】
１０１  肘掛
１０３  テーブル
１０５  スリット
１１１  ヒンジ手段
１３１  肘当て
【図１】
2005112062.tif 000003
【図２】
2005112062.tif 000004
【図３】
2005112062.tif 000005
【図４】
2005112062.tif 000006
【図５】
2005112062.tif 000007
【図６】
2005112062.tif 000008
【図７】
2005112062.tif 000009